(57)【要約】【課題】起動画面、起動音、動作時画面、アイコンなどをユーザーが関連性を持たせて設定できる携帯型画像表示装置を提供する【解決手段】まず登録したい画像データまたは音声データを携帯型画像表示装置本体１０に読み込む。読み込んだ画像データまたは音声データは、メモリＡ１１に記録される。メモリＡ１１はフラッシュメモリーカードのような着脱可能なメディアでもよいし、本体に内蔵されたメモリでもよい。記録された画像データおよび音声データは、ユーザーの操作あるいは所定のイベント発生によって、各機能または動作内容に割り当てられる。割り当てられた複数のデータは、関連付けをされてメモリＢ１２に保存される。そしてメモリ１２に格納された画像データ、もしくは音声データを所定のイベント発生時に読み出して、モニタ１３へ表示したり、スピーカによって音声出力したりする。【選択図】  図１
2005275892.tif 000002
【特許請求の範囲】
【請求項１】
ユーザーまたは第三者によって作成された複数の画像データおよび音声データを読み込む読み込み手段と、読み込んだ前記複数の画像データおよび音声データを記録する記録手段と、記録した前記画像データおよび音声データを動作内容に対応して割り当てる割り当て手段と、前記画像データおよび音声データを前記動作内容に対応して表示部に表示させる表示手段を有することを特徴とした携帯型画像表示装置。
【請求項２】
前記複数の画像データおよび音声データを関連付ける関連付け手段と、関連付けられた情報を記録する記録手段を有することを特徴とした請求項１記載の携帯型画像表示装置。
【請求項３】
前記読み込み手段と、前記記録手段と、前記割り当て手段と、前記関連付け手段のうち少なくとも１つを接続したパソコンから行うことを特徴とした請求項１記載の携帯型画像表示装置。
【請求項４】
前記読み込み手段と、前記記録手段と、前記割り当て手段と、前記関連付け手段のうち少なくとも１つを、ＩＣチップが埋め込まれたカードから行うことを特徴とした請求項１記載の携帯型画像表示装置。
【請求項５】
前記カードが本体の筐体または飾り板を兼ねることを特徴とした請求項３記載の携帯型画像表示装置。
【発明の詳細な説明】
【技術分野】
【０００１】
本発明は、デジタルスチルカメラ、デジタルビデオカメラ、携帯電話、ＰＤＡ、ポータブルＤＶＤプレイヤーなどの画像表示部を備える携帯型画像表示装置に関する。
【背景技術】
【０００２】
デジタルスチルカメラ、デジタルビデオカメラ、携帯電話、ＰＤＡ、ポータブルＤＶＤプレイヤー等携帯型画像表示装置が広く利用されている。これらの画像表示装置は、ユーザ毎に起動画面や、起動音、動作時画面、アイコンなどを任意に設定可能な機能を有しており、ユーザがそれぞれ設定操作をすることにより、各ユーザの好みに合わせた画面や音声を設定することができる。
【特許文献１】特開２００１−２６５４８２号公報  （図１）
【発明の開示】
【発明が解決しようとする課題】
【０００３】
しかしながら従来では、ユーザーが起動画面、起動音、動作時画面、アイコンなどをオリジナルのデータに設定する場合、それぞれを別々に設定しなければならず手間がかかっていた。また、オリジナルデータを設定できる部分もかなり限定されていた。
【０００４】
従って、起動画面、起動音、動作時画面、アイコンなどをメーカーが用意した複数のサンプルからユーザーが選択する方法ではカスタム性に乏しく、ユーザーが自分の個性を所有する機器に反映させたいというユーザーのニーズに対応できていなかった。また、ユーザーがオリジナルデータを設定できる機種もあるが、設定方法が面倒であった。
【０００５】
そこで、本発明は、起動画面、起動音、動作時画面、アイコンなどをユーザーが関連性を持たせて設定できる携帯型画像表示装置を提供するものである。
【課題を解決するための手段】
【０００６】
上記した課題を解決し目的を達成するために、本発明は、ユーザーまたは第三者によって作成された複数の画像データおよび音声データを読み込む読み込み手段と、読み込んだ前記複数の画像データおよび音声データを記録する記録手段と、記録した前記画像データおよび音声データを動作内容に対応して割り当てる割り当て手段と、前記画像データおよび音声データを前記動作内容に対応して表示部に表示させる表示手段を有するものである。
【０００７】
また本発明は上述した課題を解決するため、前記複数の画像データおよび音声データを関連付ける関連付け手段と、関連付けられた情報を記録する記録手段を有するものである。
【０００８】
また本発明は上述した課題を解決するため、前記読み込み手段と、前記記録手段と、前記割り当て手段と、前記関連付け手段のうち少なくとも１つを接続したパソコンから行うものである。
【０００９】
また本発明は上述した課題を解決するため、前記読み込み手段と、前記記録手段と、前記割り当て手段と、前記関連付け手段のうち少なくとも１つを、ＩＣチップが埋め込まれたカードから行うものである。
【００１０】
また本発明は上述した課題を解決するため、前記カードが本体の筐体または飾り板を兼ねるものである。
【発明の効果】
【００１１】
本発明によれば、携帯型画像表示装置における起動画面、起動音、動作時画面、アイコンなどをユーザーが関連性を持たせて設定できる。
【発明を実施するための最良の形態】
【００１２】
以下、図面を参照して本発明による実施の形態を説明する。
【００１３】
図１は本発明の一実施形態を示す携帯型画像表示装置の動作例を示すブロック概念図である。まず登録したい画像データまたは音声データを携帯型画像表示装置本体１０に読み込む。このときの読み込み先は、外部の媒体からでもよいし、本体１０に撮影機能や録音機能が装備されていればその機能からでもよい。読み込んだ画像データまたは音声データは、メモリＡ１１に記録される。メモリＡ１１はフラッシュメモリーカードのような着脱可能なメディアでもよいし、本体に内蔵されたメモリでもよい。記録された画像データおよび音声データは、ユーザーの操作あるいは所定のイベント発生によって、各機能または動作内容に割り当てられる。割り当てられた複数のデータは、関連付けをされてメモリＢ１２に保存される。メモリＢ１２はメモリＡ１１と同じものであっても別のものであってもかまわないが、本体に内蔵されたメモリであることが望ましい。そしてメモリ１２に格納された画像データ、もしくは音声データを所定のイベント発生時に読み出して、モニタ１３へ表示したり、スピーカによって音声出力したりする。
【００１４】
図２は本発明の実施形態を携帯電話に応用した場合の表示画面の一例を示す図である。画像データは本体に内蔵されたカメラで撮影したもの、音声データはインターネットからダウンロードしたものを想定している。(ａ)は割り当て作業を行うときのメニュー画面の一例である。この例では、起動音、起動画面、待ち受け画面、電話着信音、電話着信画面、メール着信音、メール着信画面が設定できるようになっている。ここで、たとえば「起動音」を選択してEnterボタンを押すと、ファイル選択画面(ｂ)に入る。そこで設定したい音声ファイルを選択してEnterボタンを押すと、起動音に選択した音声ファイルが割り当てられる。図の例ではファイル名が"Sample*.wav"になっているが、分かりやすく日本語のファイル名を付けることも可能である。また、wavファイルではなくて、他の形式の音声ファイルであってもよい。同じ方法ですべてあるいは一部の項目にファイルを設定したあと、タイトル部分を選択して(ｃ)Enterボタンを押すと、タイトル名を付けられる画面に入る(ｄ)。タイトル名を記入してEnterボタンを押すと、複数の項目とファイルの組み合わせを保存することができる(ｅ)。関連付けて保存した複数のデータは、ユーザーが任意に読み出して変更することが可能である(ｆ)。
【００１５】
図３は本発明の実施形態をデジタルスチルカメラに応用した場合の表示画面の一例を示す図である。(ａ)は割り当て作業を行うときのメニュー画面の一例である。この例ではメニューの中の「カスタム」という項目になっており、起動音、起動画面、アイコン、フレーム、メニュー背景が設定できるようになっている。ここで、たとえば「起動画面」を選択してEnterボタンを押すと、ファイル選択画面(ｂ)に入る。そこで設定したい画像ファイルを選択してEnterボタンを押すと、起動画面に選択した画像ファイルが割り当てられる。図の例ではファイル名が"Sample*.jpg"になっているが、分かりやすく日本語のファイル名を付けることも可能である。また、jpgファイルではなくて、他の形式の画像ファイルであってもよい。同じ方法ですべてあるいは一部の項目にファイルを設定できる。この例では、起動音、起動画面、フレームの３項目にデータを設定している。この状態でタイトル部分を選択して(ｃ)Enterボタンを押すと、タイトル名を付けられる画面に入る(ｄ)。タイトル名を記入してEnterボタンを押すと、複数の項目とファイルの組み合わせを保存することができる(ｅ)。関連付けて保存した複数のデータは、ユーザーが任意に読み出して変更することが可能である(ｆ)。
【００１６】
図４は画像データおよび音声データを、ＩＣチップが埋め込まれたカードから行う方法の一例を示した図である。カード４１にはＩＣチップ４２とアンテナ４３が埋め込まれており、携帯型画像表示装置１０からデータ読み出しコマンドを受け取ると、ＩＣチップ４２内のメモリに保存されている画像／音声データおよび割り当てデータを携帯型画像表示装置１０に送信する。携帯型画像表示装置１０では、送信された画像／音声データと割り当てデータを基に画像／音声データを各機能ごとに割り当てる。
【００１７】
図５は携帯電話の飾り板５１にＩＣチップ５２を埋め込んだ一例を示した図である。これにより飾り板５１のデザインと内部のデザインに統一性を持たせることが可能である。
【００１８】
図６はデジタルカメラの飾り板６１にＩＣチップ６２埋め込んだ一例を示した図である。携帯電話の例と同様に、飾り板のデザインと内部のデザインに統一性を持たせることが可能となる。
【００１９】
図５、図６に示す飾り板が、例えば動物の絵を施した飾り板とした場合、その動物の鳴き声や、写真を画像データ、音声データとして、ＩＣチップ５２、６２に格納しておき、この格納された画像データ、音声データを読み出して各機能毎に割り当てることより、飾り板のイメージに合った割り当て設定を容易にでき、また飾り板をオプション製品として別売りするような販売形態も実現することができる。
【００２０】
以上説明したように、本実施の形態によれば、デジタルスチルカメラや携帯電話のような携帯型画像表示装置における起動画面、起動音、動作時画面、アイコンなどをユーザーが簡単に関連性を持たせて設定可能となる。
【図面の簡単な説明】
【００２１】
【図１】本発明の一実施形態を示す携帯型画像表示装置の動作の一例を示すブロック図である。
【図２】同実施形態を携帯電話に応用した場合の表示画面の一例を示す図である。
【図３】同実施形態をデジタルスチルカメラに応用した場合の表示画面の一例を示す図である。
【図４】画像データおよび音声データをＩＣチップが埋め込まれたカードから行う方法の一例を示した図である。
【図５】図４に示す実施形態において、携帯電話の飾り板にＩＣチップ埋め込んだ一例を示した図である。
【図６】図４に示す実施形態において、デジタルカメラの飾り板にＩＣチップ埋め込んだ一例を示した図である。
【符号の説明】
【００２２】
１０…本体、１１…メモリＡ、１２…メモリＢ、１３…モニタ、４１…カード、４２…ＩＣチップ、４３…アンテナ、５１…飾り板、５２…ＩＣチップ、６１…飾り板、６２…ＩＣチップ。
【図１】
2005275892.tif 000003
【図２】
2005275892.tif 000004
【図３】
2005275892.tif 000005
【図４】
2005275892.tif 000006
【図５】
2005275892.tif 000007
【図６】
2005275892.tif 000008